(57)【要約】      （修正有）【課題】簡便に運搬及び保管ができるスタンディングパウチを提供する。【解決手段】内容物が投入可能なように上側が開放された外部パック１１０と、互いに離隔された第１温度調節空間及び第２温度調節空間を形成し、前記第１温度調節空間及び前記第２温度調節空間の間に前記内容物の収容が可能な内容物収容空間を形成し、前記第１温度調節空間及び前記第２温度調節空間が互いに連通するように前記外部パック１１０の内部に配置される内部パックと、前記第１温度調節空間及び前記第２温度調節空間にそれぞれ配置された第１温度調節体１４３及び第２温度調節体１４５と、を含み、前記第１温度調節空間及び前記第２温度調節空間のうち少なくとも一つは、前記第１温度調節体１４３及び前記第２温度調節体１４５と反応して発熱反応または吸熱反応を発生させる反応液体を投入可能なように上側が開放された構成とした。【選択図】図１
2011157133.tif 000002
【特許請求の範囲】
【請求項１】
外部パックと、
互いに離隔された第１温度調節空間及び第２温度調節空間を形成し、前記第１温度調節空間及び前記第２温度調節空間の間に内容物の収容が可能な内容物収容空間を形成し、前記第１温度調節空間及び前記第２温度調節空間が互いに連通するように前記外部パックの内部に配置される内部パックと、
前記第１温度調節空間及び前記第２温度調節空間にそれぞれ配置された第１温度調節体及び第２温度調節体と、
を含み、
前記第１温度調節空間及び前記第２温度調節空間のうち少なくとも一つは、前記第１温度調節体及び前記第２温度調節体と反応して発熱反応または吸熱反応を発生させる反応液体を投入可能なように上側が開放されたことを特徴とするスタンディングパウチ。
【請求項２】
前記外部パックは、
相対向し、両側がシールされる前面外皮及び背面外皮と、
前記前面外皮の下部と前記背面外皮の下部とが離隔されるように前記前面外皮の下部と前記背面外皮の下部とに封着される下面外皮と、
を含むことを特徴とする、請求項１に記載のスタンディングパウチ。
【請求項３】
前記内部パックは、
前記第１温度調節空間及び前記第２温度調節空間が互いに連通するように、前記前面外皮及び前記背面外皮と両側がシールされ、下側はシールされないことを特徴とする、請求項２に記載のスタンディングパウチ。
【請求項４】
前記内部パックは、
前記前面外皮に上側が開放されるように両側及び下側がシールされる第１内皮と、
前記背面外皮に両側及び下側がシールされる第２内皮と、を含み、
前記第１内皮及び前記第２内皮は前記第１温度調節空間及び前記第２温度調節空間を互いに連通させる共通の連通孔を有し、前記連通孔の周囲で前記第１内皮及び第２内皮がシール処理されることを特徴とする、請求項２に記載のスタンディングパウチ。
【請求項５】
前記内部パックに設けられて前記内容物収容空間を選択的に密封させる密封ユニットをさらに含むことを特徴とする、請求項１ないし請求項４のいずれか１項に記載のスタンディングパウチ。
【請求項６】
前記内容物収容空間に詰められた所定の内容物をさらに含み、
前記外部パック及び前記内部パックは、前記密封ユニットが設けられている位置よりも上側においてシールされることを特徴とする、請求項５に記載のスタンディングパウチ。
【請求項７】
前記密封ユニットは、互いに対向する位置に設けられたジッパー、ベルクロまたはジップロックを含むことを特徴とする、請求項６に記載のスタンディングパウチ。
【請求項８】
前記第１温度調節体及び前記第２温度調節体は、発熱体及び吸熱体のうち少なくとも一つを含むことを特徴とする、請求項１ないし請求項４のいずれか１項に記載のスタンディングパウチ。
【請求項９】
内容物の収容が可能な収容空間を形成する第１内皮及び第２内皮を含む第１パックと、
第１温度調節空間を形成するように前記第１内皮に対向して配置された第１外皮と、
前記第１温度調節空間に配置された第１温度調節体と、
を含み、
前記第１温度調節体と発熱反応または吸熱反応を起こす反応液体を、前記収容空間及び前記第１温度調節空間内に収容しなく、
前記第１温度調節空間が密閉されるように前記第１内皮及び前記第１外皮は密封処理されたことを特徴とする、スタンディングパウチ。
【請求項１０】
前記第１内皮と前記第１外皮との密封処理された密封部分の幅が、横方向に沿って異なることを特徴とする、請求項９に記載のスタンディングパウチ。
【請求項１１】
前記第１内皮、前記第２内皮及び前記第１外皮のうち少なくとも一つに設けられて、前記第１温度調節空間が開放可能なように前記第１内皮及び前記第１外皮を横方向に破たんさせる第１破たん部をさらに含むことを特徴とする、請求項９に記載のスタンディングパウチ。
【請求項１２】
前記第１破たん部を用いて前記第１内皮及び前記第１外皮を横方向に破たんしても前記第１内皮及び前記第２内皮は互いに密閉されるように前記第１内皮及び前記第２内皮が密封処理されたことを特徴とする、請求項１１に記載のスタンディングパウチ。
【請求項１３】
前記収容空間が開放されるように、前記密閉された第１内皮及び前記第２内皮を前記横方向に破たんするための第２破たん部をさらに含むことを特徴とする、請求項１２に記載のスタンディングパウチ。
【請求項１４】
第２温度調節空間を形成するように前記第２内皮に対向して配置された第２外皮と、
前記第２温度調節空間に配置された第２温度調節体と、
をさらに含み、
前記第２温度調節空間が密閉されるように前記第２内皮と前記第２外皮とは密封処理されたことを特徴とする、請求項９または１０に記載のスタンディングパウチ。
【請求項１５】
前記第２内皮と前記第２外皮との密封処理された密封部分の幅が、前記横方向に沿って異なることを特徴とする、請求項１４に記載のスタンディングパウチ。
【請求項１６】
前記第１外皮及び前記第２外皮のうち少なくとも一つに設けられて、前記第１温度調節空間及び前記第２温度調節空間のうち少なくとも一つが開放可能なように、前記第１パック、前記第１外皮及び前記第２外皮を前記横方向に破たんさせる第１破たん部をさらに含むことを特徴とする、請求項１５に記載のスタンディングパウチ。
【請求項１７】
前記第１破たん部を用いて前記第１パック、前記第１外皮及び前記第２外皮を前記横方向に破たんする場合、前記第１内皮及び前記第２内皮が互いに密封状態を維持するように前記第１内皮及び前記第２内皮が互いに密封処理されたことを特徴とする、請求項１６に記載のスタンディングパウチ。
【請求項１８】
前記収容空間が開放されるように、前記密封された第１内皮及び前記第２内皮を前記横方向に破たんするために前記第１外皮及び前記第２外皮のうち少なくとも一つに設けられた第２破たん部をさらに含むことを特徴とする、請求項１７に記載のスタンディングパウチ。
【発明の詳細な説明】
【技術分野】
【０００１】
本発明は、スタンディングパウチに係り、特に、簡便に運搬及び保管できるスタンディングパウチに関するものである。
【背景技術】
【０００２】
スタンディングパウチは、別の補助器具なしにも自体の形状により起立可能なパウチのことをいう。
【０００３】
従来のパウチは、内部に所定の加熱対象または冷却対象となる液状の飲食料（例えば、漢方薬等）や美容パックを既に収容しているもので、その内部に反応液体が収容された容器と、該容器の外部に配置された発熱体または吸熱体と、を含む。この容器を破たんして反応液体（たとえば、水）を流出させ、該反応液体を発熱体または吸熱体と反応させることによって、飲食料を温めたり美容パックを冷却させたりする。
【０００４】
しかし、従来のパウチは、反応液体と発熱体または吸熱体とが一緒に存在し、運搬中にまたは使用上のミスにより水が流出する場合、発熱反応または吸熱反応が起こり、予想せぬ結果になることがある。
【０００５】
また、従来のパウチは、反応液体を含み、該反応液体の重さや体積によって運搬または保管が不便だった。
【０００６】
また、パウチの内部には既に加熱または冷却しようとする内容物が詰まっており、使用者が任意の内容物を加熱したり冷却したりすることは困難であった。
【０００７】
なお、従来のパウチは、容器及び発熱体または吸熱体が封止されているため、使い捨てるしかなく、再利用が不可能である。
【０００８】
一方、従来のパウチ内にレトルト食品を収容するに当たり、殺菌または滅菌の処理過程を考慮する必要がある。
【発明の概要】
【発明が解決しようとする課題】
【０００９】
本発明の目的は、望まない発熱反応または吸熱反応が発生することを防止できるスタンディングパウチを提供することにある。
【００１０】
本発明の他の目的は、簡便に運搬及び保管ができるスタンディングパウチを提供することにある。
【００１１】
本発明のさらに他の目的は、使用者が任意の内容物を加熱したり冷却したりすることができるスタンディングパウチを提供することにある。
【００１２】
本発明のさらに他の目的は、再利用が可能なスタンディングパウチを提供することにある。
【００１３】
本発明のさらに他の目的は、レトルト食品を衛生的に包装できるスタンディングパウチを提供することにある。
【課題を解決するための手段】
【００１４】
上記目的を達成するために、本発明の一実施例に係るスタンディングパウチは、外部パックと；互いに離隔された第１温度調節空間及び第２温度調節空間を形成し、前記第１温度調節空間及び前記第２温度調節空間の間に前記内容物の収容が可能な内容物収容空間を形成し、前記第１温度調節空間及び前記第２温度調節空間が互いに連通するように前記外部パック内部に配置される内部パックと；前記第１温度調節空間及び前記第２温度調節空間にそれぞれ配置された第１温度調節体及び第２温度調節体と；を含み、前記第１温度調節空間及び前記第２温度調節空間のうち少なくとも一つは、前記第１温度調節体及び前記第２温度調節体と反応して発熱反応または吸熱反応を発生させる反応液体を投入可能なように上側が開放された構成とした。
【００１５】
ここで、前記外部パックは、相対向し、両側がシールされる前面外皮及び背面外皮と、前記前面外皮の下部前記と背面外皮の下部とが離隔されるように前記前面外皮の下部及び前記背面外皮の下部に封着される下面外皮と、を含むことができる。
【００１６】
また、前記内部パックは、前記第１温度調節空間及び前記第２温度調節空間が互いに連通するように、前記前面外皮及び前記背面外皮と両側がシールされ、下側はシールされないものとすることができる。
【００１７】
そして、前記内部パックは、前記前面外皮に上側が開放されるように両側及び下側がシールされる第１内皮と、前記背面外皮に両側及び下側がシールされる第２内皮と、を含むことができる。
【００１８】
また、前記第１内皮及び前記第２内皮は、前記第１温度調節空間及び前記第２温度調節空間を互いに連通させる共通の連通孔を有し、前記連通孔の周囲で前記第１内皮及び第２内皮がシール処理されることができる。
【００１９】
ここで、前記スタンディングパウチは、前記内部パックに設けられて、前記内容物収容空間を選択的に密封させる密封ユニットをさらに含むことができる。
【００２０】
そして、前記密封ユニットは、互いに対向する位置に設けられたジッパー、ベルクロまたはジップロックを含むことができる。
【００２１】
前記内容物収容空間に詰められた所定の内容物をさらに含むことができる。
【００２２】
前記外部パック及び前記内部パックは、前記密封ユニットが設けられた位置よりも上側で互いにシールされることができる。
【００２３】
ここで、前記第１温度調節体及び前記第２温度調節体は、発熱体及び吸熱体のうち少なくとも一つを含むことができる。
【００２４】
一方、上記目的を達成するために、本発明の他の一実施例に係るスタンディングパウチは、内容物の収容が可能な収容空間を形成する第１内皮及び第２内皮を含む第１パックと、第１温度調節空間を形成するように前記第１内皮に対向して配置された第１外皮と、前記第１温度調節空間に配置された第１温度調節体と、を含み、前記第１温度調節体と発熱反応または吸熱反応を起こす反応液体を、前記収容空間及び前記第１温度調節空間内に収容しなく、前記第１温度調節空間が密閉されるように前記第１内皮及び前記第１外皮は密封処理された構成とした。
【００２５】
前記第１内皮と前記第１外皮との密封処理された密封部分の幅が、横方向に沿って異なることができる。
【００２６】
前記第１内皮、前記第２内皮及び前記第１外皮のうち少なくとも一つに設けられて、前記第１温度調節空間が開放可能なように前記第１内皮及び前記第１外皮を横方向に破たんさせる第１破たん部をさらに含むことができる。
【００２７】
前記第１破たん部を用いて前記第１内皮及び前記第１外皮を横方向に破たんしても前記第１内皮及び前記第２内皮は互いに密閉されるように前記第１内皮及び前記第２内皮が密封処理されたことができる。
【００２８】
前記収容空間が開放されるように、前記密閉された第１内皮及び前記第２内皮を前記横方向に破たんするための第２破たん部をさらに含むことができる。
【００２９】
第２温度調節空間を形成するように前記第２内皮に対向して配置された第２外皮と、前記第２温度調節空間に配置された第２温度調節体と、をさらに含み、前記第２温度調節空間が密閉されるように前記第２内皮と前記第２外皮とは密封処理されたことができる。
【００３０】
前記第２内皮と前記第２外皮との密封処理された密封部分の幅 が、前記横方向に沿って異なることができる。
【００３１】
前記第１外皮及び前記第２外皮のうち少なくとも一つに設けられて、前記第１温度調節空間及び前記第２温度調節空間のうち少なくとも一つが開放可能なように、前記第１パック、前記第１外皮及び前記第２外皮を前記横方向に破たんさせる第１破たん部をさらに含むことができる。
【００３２】
前記第１破たん部を用いて前記第１パック、前記第１外皮及び前記第２外皮を前記横方向に破たんする場合、前記第１内皮及び前記第２内皮が互いに密封状態を維持するように前記第１内皮及び前記第２内皮が互いに密封処理されたことができる。
【００３３】
前記収容空間が開放されるように、前記密封された第１内皮及び前記第２内皮を前記横方向に破たんするために前記第１外皮及び前記第２外皮のうち少なくとも一つに設けられた第２破たん部をさらに含むことができる。
【発明の効果】
【００３４】
このように構成されたスタンディングパウチによれば、下記のような効果が得られる。
【００３５】
第一、発熱反応または吸熱反応が発生するためには使用者が人為的に反応液体を投入しなければならず、よって、望まない発熱反応または吸熱反応が発生することを防止することができる。
【００３６】
第二、重さ及び体積を相対的に多く占める反応液体を内蔵していないので、運搬及び保管が容易である。
【００３７】
第三、使用者が加熱または冷却させたい内容物をパウチ内に投入することができる。
【００３８】
第四、使用後に新しい発熱体を入れて反応液体を投入することで再利用することができる。
【００３９】
第五、発熱体または吸熱体を使用したり、発熱体及び吸熱体の量を適切に調節することによって、使用者が所望の温度に内容物を加熱または冷却させることができる。
【００４０】
第六、レトルト食品を衛生的に包装することができる。レトルト食品包装過程の前後にスタンディングパウチを殺菌処理する過程を円滑に行うことができる。
【図面の簡単な説明】
【００４１】
【図１】本発明の第１実施例によるスタンディングパウチの概略斜視図である。
【図２】図１のスタンディングパウチのＩＩ−ＩＩ線に沿う概略縦断面図である。
【図２Ａ】図２のＩＩＡ部分拡大図である。
【図３】図１のスタンディングパウチのＩＩＩ−ＩＩＩ線に沿う概略横断面図である。
【図４】図１のスタンディングパウチの使用方法を説明するための概略断面図である。
【図５】図１のスタンディングパウチの使用方法を説明するための概略断面図である。
【図６】本発明の第２実施例によるスタンディングパウチの要部拡大斜視図である。
【図７】図６のスタンディングパウチのＶＩＩ−ＶＩＩ線に沿う概略横断面図である。
【図８】本発明の第３実施例によるスタンディングパウチの概略斜視図である。
【図９】図８のスタンディングパウチのＩＸ−ＩＸ線に沿う概略縦断面図である。
【図１０】図８のスタンディングパウチのＸ−Ｘ線に沿う概略縦断面図である。
【図１０Ａ】図１０のＸＡ部分拡大図である。
【図１１】図８のスタンディングパウチのＸＩ−ＸＩ線に沿う概略横断面図である。
【図１２】図８のスタンディングパウチのＸＩＩ−ＸＩＩ線に沿う要部拡大横断面図である。
【図１３】図８のスタンディングパウチの使用方法を説明するための概略縦断面図である。
【図１４】図８のスタンディングパウチの使用方法を説明するための概略縦断面図である。
【図１５】本発明の第４実施例によるスタンディングパウチの概略斜視図である。
【図１６】図１５のスタンディングパウチのＡＡ−ＡＡ線に沿う概略断面図である。
【図１７】図１５のスタンディングパウチのＢＢ−ＢＢ線に沿う概略断面図である。
【図１８Ａ】図１５のスタンディングパウチに内容物を詰めて包装する過程を説明するための概略断面図である。
【図１８Ｂ】図１５のスタンディングパウチに内容物を詰めて包装する過程を説明するための概略断面図である。
【図１８Ｃ】内容物の包装されている図１５のスタンディングパウチを使用する方法を説明するための概略断面図である。
【図１８Ｄ】内容物の包装されている図１５のスタンディングパウチを使用する方法を説明するための概略断面図である。
【図１９】本発明の第５実施例によるスタンディングパウチの概略斜視図である。
【図２０】図１９のスタンディングパウチのＣＣ−ＣＣ線に沿う概略断面図である。
【図２１】図１９のスタンディングパウチのＤＤ−ＤＤ線に沿う概略断面図である。
【図２２】図１９のスタンディングパウチのＥＥ−ＥＥ線に沿う概略断面図である。
【図２３Ａ】図１９のスタンディングパウチに内容物を詰めて包装する過程を説明するための概略断面図である。
【図２３Ｂ】図１９のスタンディングパウチに内容物を詰めて包装する過程を説明するための概略断面図である。
【図２３Ｃ】内容物の包装されている図１９のスタンディングパウチを使用する方法を説明するための概略断面図である。
【図２４】本発明の第６実施例によるスタンディングパウチの概略斜視図である。
【図２５】図２４のスタンディングパウチに内容物を詰めて包装する過程を説明するための概略断面図である。
【図２６】内容物の包装されている図２４のスタンディングパウチを使用する方法を説明するための概略断面図である。
【発明を実施するための形態】
【００４２】
以下、添付の図面を参照しつつ、本発明の好適な実施例に係るスタンディングパウチについて詳細に説明する。
【００４３】
本発明の第１実施例によるスタンディングパウチ１００は、図１乃至図５に示すように、内容物の投入が可能なように上側が開放された外部パック１１０と、外部パック１１０の内部に配置される内部パック１２０と、外部パック１１０及び内部パック１２０が形成する温度調節空間Ｒ１，Ｒ２に配置される温度調節体１４０と、を含む。
【００４４】
外部パック１１０は、互いに対向し、両側がシールされる前面外皮１１１及び背面外皮１１３と、前面外皮１１１及び背面外皮１１３の下部が互いに離隔されるように前面外皮１１１の下部と背面外皮１１３の下部との間に封着される下面外皮１１５を含む。このため、前面外皮１１１及び背面外皮１１３の下部が互いに離隔されることで、パウチ１００を立てて保管することができる。
【００４５】
内部パック１２０は、図２に示すように、加熱または冷却しようとする内容物が収容される内容物収容空間Ｓを形成する。
【００４６】
また、内部パック１２０は、外部パック１１０と共に、内容物収容空間Ｓを間に置いて互いに離隔されている第１温度調節空間Ｒ１及び第２温度調節空間Ｒ２を形成する。
また、内部パック１２０は、第１温度調節空間Ｒ１及び第２温度調節空間Ｒ２を互いに連通させる連通空間Ｒ３を形成する。
【００４７】
内部パック１２０は、第１温度調節空間Ｒ１を形成するように前面外皮１１１に隣接して配置された第１内皮１２１と、第２温度調節空間Ｒ２を形成するように背面外皮１１３に隣接して配置された第２内皮１２３と、を含む。第１内皮１２１及び第２内皮１２３間の空間が内容物収容空間Ｓとなるように、第１内皮１２１及び第２内皮１２３は下側が密封される。
【００４８】
ここで、内部パック１２０は、図２に示すように、一体として形成された可撓性の封筒とすることができる。より詳細に説明すると、内部パック１２０は、図２に示す上側の開放された可撓性封筒を、図３に示すように、前面外皮１１１と背面外皮１１３との間に挿入して両側部Ｊ１，Ｊ２のみをシールし、下側部はシールしないことで作ることができる。ここで、可撓性封筒の最下面が下面外皮１１５から離間されるようにすることで連通空間Ｒ３を形成することができる。これは一例に過ぎず、様々に変更することができることは勿論である。
【００４９】
一方、温度調節体１４０は、後述する反応液体と発熱反応する発熱体及び反応液体と吸熱反応する吸熱体のうち少なく一つを含むことができる。ここで、発熱体及び吸熱体は、内容物収容空間Ｓに投入される内容物の温度を増加または減少させることから、温度調節体と総称することができる。
【００５０】
発熱体には、酸化カルシウム、水酸化カルシウム、塩化マグネシウム及び鉄のうち少なくとも一つを含むことができる。これらに限定されず、反応液体と発熱反応するものであればいずれも使用可能である。
【００５１】
吸熱体には、硝酸アンモニウム（ＮＨ４ＮＯ３）、酢酸ナトリウム（ＮａＯＡｃ）及び尿素（ｕｒｅａ）のうち少なくとも一つを含むことができる。
【００５２】
温度調節体１４０は、発熱体または吸熱体を包む不織布をさらに含むことができる。不織布は、吸湿性があるから反応液体を吸収し、内部に収容されている発熱体または吸熱体と反応液体との化学反応を容易にさせる。場合によって、不織布は省いても良い。
【００５３】
温度調節体１４０は、第１温度調節空間Ｒ１に収容される第１温度調節体１４３及び第２温度調節空間Ｒ２に収容される第２温度調節体１４５を含むことができる。
【００５４】
ここで、第１及び第２温度調節体１４３，１４５は両方も、第１及び第２温度調節空間Ｒ１，Ｒ２に固定されても良く、使用者が第１及び第２温度調節空間Ｒ１，Ｒ２に投入しても良い。
【００５５】
第１温度調節体１４３は、図２に示すように、不織布１４３ａと、不織布１４３ａ内に収容された温度調節体１４３ｂと、を含む。ここで、温度調節体１４３ｂは上述の発熱体とすることができる。
【００５６】
第２温度調節体１４５も、第１温度調節体１４３と同様にしてなることができる。すなわち、第２温度調節体１４５も同様、内部に発熱体を含むことができる。
【００５７】
場合によって、もし、内容物収容空間Ｓにおいて第１温度調節空間Ｒ１との接触部分Ｓ１側は加熱しなければならなく、第２温度調節空間Ｒ２との接触部分Ｓ２側は冷却しなければならない場合、第１温度調節体１４３は発熱体を含み、第２温度調節体１４５は吸熱体を含むことができる。
【００５８】
ここで、第１温度調節空間Ｒ１及び第２温度調節空間Ｒ２のうち少なくとも一つは、反応液体を投入しうるように上側が開放されたものとすることができる。
【００５９】
さらにいうと、第１温度調節空間Ｒ１の上側が開放されるように、第１内皮１２１の上端１２１ａは前面外皮１１１の上端とシール処理されずに済む。第２温度調節空間Ｒ２は、その内部に第２温度調節体１４５が収容された後には密封されることができる。もちろん、場合によって、第２温度調節空間Ｒ２の上側も開放されるように、第２内皮１２３の上端１２３ａも背面外皮１１３の上端とシール処理されないこともある。
【００６０】
一方、スタンディングパウチ１００は、図２に示すように、内部パック１２０により形成される内容物収容空間Ｓを選択的に密封するための密封ユニット１３０をさらに含むことができる。
【００６１】
密封ユニット１３０は、互いに対向する位置に設けられたジッパー、ベルクロテープまたはジップロックとかることができる。
【００６２】
図２では、密封ユニット１３０をジップロックとしている。
【００６３】
密封ユニット１３０は、第１内皮１２１の上側内面に取り付けられた雌ジップロック１３１と、第２内皮１２３において雌ジップロック１３１に対応する位置に取り付けられた雄ジップロック１３３と、を含むことができる。
【００６４】
上記のように構成されたスタンディングパウチ１００を用いて内容物を加熱する方法を、図４及び図５を参照して説明すると、下記の通りである。
【００６５】
まず、密封ユニット１３０を開放した状態で加熱対象となる内容物を内容物収容空間Ｓに投入する。
【００６６】
そして、第１内皮１２１と前面外皮１１１とのシールされていない上端部から反応液体、たとえば、水を第１温度調節空間Ｒ１内に投入する。これにより、反応液体は、Ｗ１、Ｗ２、Ｗ３、Ｗ４の順に第１及び第２温度調節空間Ｒ１，Ｒ２を経由する。
【００６７】
まず、投入された反応液体は、第１温度調節空間Ｒ１内に収容された第１温度調節体１４３と互いに発熱反応する。この時、生成される蒸気はＢ方向に沿って、開放されている上端部から外部に排出される。
【００６８】
その後、第１温度調節体１４３と発熱反応せずに残った反応液体は、連通空間Ｒ３を通って第２温度調節空間Ｒ２に流入する。これにより、第２温度調節空間Ｒ２に収容された第２温度調節体１４５も発熱反応するようになる。
【００６９】
第２温度調節空間Ｒ２内の発熱反応により生成された蒸気は、Ａ方向に沿って連通空間Ｒ３を通って第１内皮１２１と前面外皮１１１とのシールされていない上端部から外部に排出されることができる。もし、図４及び図５に示すように、第２温度調節空間Ｒ２の上部も開放されているとすれば、すなわち、第２内皮１２３の上端部１２３ａと背面外皮１１３の上部とがシール処理されていない場合は、この第２温度調節空間Ｒ２の上部から蒸気が排出されることもできる。
【００７０】
ここで、図５に示すように、内容物Ｐを内容物収容空間Ｓに投入した後、密封ユニット１３０を用いて内容物収容空間Ｓを密封した後に、反応液体を第１温度調節空間Ｒ１に投入することが熱損失防止の側面で好ましい。
【００７１】
上述したように、本発明によるスタンディングパウチ１００は、ユーザーが望む任意の内容物を加熱したり冷却させたりすることができる。
【００７２】
また、使用者が加熱または冷却させようとする温度に応じて第１温度調節空間内及び第２温度調節空間内に所定の温度調節体を投入すればいいので、内容物を加熱または冷却させる温度も任意に変更することができる。
【００７３】
ここで、温度調節体は、１個単位に定量化することができる。例えば、１個の温度調節体により水を１０℃上昇させることができるとしよう。
【００７４】
使用者が冷蔵庫中のスープ（略−３℃）を６０℃に温めようとする場合、略６個の温度調節体を第１温度調節空間及び第２温度調節空間に均分して投入し、反応液体の水を投入することで、スープを所望の温度に加熱することができる。
【００７５】
また、本発明によるスタンディングパウチ１００は、一度使用した後にも、温度調節体を再投入すると再度内容物を加熱または冷却させることができ、再利用が可能である。
【００７６】
一方、以上では、外部パック１１０は、使用者が希望する内容物を投入可能なように上側が開放されたものとして説明したが、場合によっては、外部パック１１０は密封されることもできる。さらにいうと、スタンディングパウチ１００の製造過程中に、特定の内容物を後述する内容物収容空間Ｓに投入した後、内部パック１２０及び外部パック１１０の上側をシールすることもできる。ここで、シール部位は、内部パック１２０の上端に設けられた密封ユニット１３０の上側とすることができる。これにより、使用者が、密封された特定内容物を加熱または冷却した後、シール部位を?きたり破たんして密封ユニット１３０を広げて内部の特定内容物を食べたり取り出すことができる。また、食べ残った特定内容物または取り出して使い残った特定内容物は、密封ユニット１３０で再び密封してスタンディングパウチ１００に再保管することもできる。
【００７７】
ここで、特定内容物は、スープ、飲み物などの液状食物または美容パックなどの固状物質を含むことができる。これらに限定されず、加熱または冷却の対象とされうるものであればいずれも特定内容物とすることができる。
【００７８】
本発明の第２実施例によるスタンディングパウチ１００ａは、上記の第１実施例に比べて、図６及び図７に示すように、外部パック１１０と内部パック１２０との間に配置された蒸気排出口Ｃ，Ｄをさらに含む。蒸気排出口Ｃ，Ｄ以外は、上述の第１実施例と同様に構成されるので、重複説明は省略する。
【００７９】
図７は、図６のパウチ１００ａの概略横断面図である。
【００８０】
図７に示すように、外部パック１１０の前面外皮１１１の上端部と内部パック１２０の第１内皮１２１の上端部とは、蒸気排出口Ｃ，Ｄ以外の全面がシール処理されることができる。外部パック１１０の背面外皮１１３の上端部と内部パック１２０の第２内皮１２３の上端部とは、両側Ｊ１，Ｊ２部分のみがシールされ、それ以外の部分はシール処理されずに済む。この背面外皮１１３と第２内皮１２３とのシールされない上端部（開口）から反応液体を投入することができる。
【００８１】
ここで、蒸気排出口Ｃ，Ｄは、スタンディングパウチ１００ａの第１温度調節空間（図示せず）内に収容される第１温度調節体（図示せず）が発熱体を含む場合に、蒸気が排出される出口の役目を果たす。したがって、第１温度調節空間（図示せず）内に収容される第１温度調節体（図示せず）が吸熱体である場合は、蒸気排出口Ｃ，Ｄは省かれる。
【００８２】
以下では、図８乃至図１４を参照して、本発明の第３実施例によるスタンディングパウチ１００ｂについて詳細に説明する。第１実施例と同様の構成には同一の参照番号を付する。
【００８３】
第３実施例のスタンディングパウチ１００ｂは、内容物の投入が可能なように上側が開放された外部パック１１０と、外部パック１１０の内部に収容される内部パック１５０と、外部パック１１０と内部パック１５０とにより形成される第１及び第２温度調節空間Ｒ１，Ｒ２に収容される温度調節体１４０と、を含む。
【００８４】
内部パック１５０は、図９に示すように、外部パック１１０の前面外皮１１１に隣接して配置される第１内皮１５１と、外部パック１１０の背面外皮１１３に隣接して配置される第２内皮１５３と、を含む。
【００８５】
第１内皮１５１は、上側以外の両側及び下側において外部パック１１０の前面外皮１１１にシールされる。また、第１内皮１５１の下端部は、下面外皮１１５にもシールされる。これにより、第１内皮１５１と前面外皮１１１との間には、上側が開放された第１温度調節空間Ｒ１が形成される。
【００８６】
第２内皮１５３の下端部は、下面外皮１１５及び背面外皮１１３との間に介在されて、下面外皮１１５及び背面外皮１１３にシールされる。また、第２内皮１５３の両側端及び上側端はいずれも背面外皮１１３にシールされる。これにより、第２内皮１５３と背面外皮１１３との間には密閉された第２温度調節空間Ｒ２が形成される。
場合によって、第２内皮１５３と背面外皮１１３の上端部には、上述した第２実施例の蒸気排出口Ｃ，Ｄを形成することもできる。
【００８７】
ここで、内容物収容空間Ｓは、第１内皮１５１、第２内皮１５３及び外部パック１１０の下面外皮１１５によって形成される。
【００８８】
第１実施例では、図２に示すように、内部パック１２０が内容物収容空間Ｓを形成するが、この第３実施例では、図９に示すように、内部パック１５０及び下面外皮１１５によって内容物収容空間Ｓが形成される。
【００８９】
第１実施例では、内容物収容空間Ｓが完全に外部パック１１０によって取り囲まれているのに対し、第３実施例では、内容物収容空間Ｓを形成する下面外皮１１５が外部に露出されているため、第１実施例に比べては多少の熱損失が発生することがある。
【００９０】
また、スタンディングパウチ１００ｂは、図８、図１０及び図１２に示すように、第１内皮１５１及び第２内皮１５３に形成され、第１温度調節空間Ｒ１及び第２温度調節空間Ｒ２を連通させるための連通孔１５５と、連通孔１５５の周囲で第１内皮１５１及び第２内皮１５３をシール処理してなる連通孔シール部１５６と、をさらに含むことができる。
【００９１】
以下では、図１３及び図１４を参照して、第３実施例のスタンディングパウチ１００ｂの使用方法について詳細に説明する。
【００９２】
まず、温度調節体１４０としての、第１及び第２温度調節空間Ｒ１，Ｒ２に収容された第１及び第２温度調節体１４３，１４５は両方も発熱体を含んでいるとする。
【００９３】
まず、加熱対象となる内容物ＰをＧ方向に沿って内容物収容空間Ｓに投入する。これにより、収容空間Ｓを形成する外部パック１１０の下面外皮１１５は、内容物Ｐの重さにより下方に伸び、場合によっては、下面外皮１１５の一部は、スタンディングパウチ１１０ｂの置かれる床面Ｔに触れることもある。
【００９４】
その後、第１内皮１５１及び第２内皮１５３に配置された密封ユニット１３０を用いて内容物収容空間Ｓを密封する。
【００９５】
その後、第１内皮１５１と前面外皮１１１との間におけるシール処理されていない上端部からＦ１方向に沿って第１温度調節空間Ｒ１に反応液体を投入する。
【００９６】
これにより、第１温度調節空間Ｒ１の第１温度調節体１４３と反応液体とが発熱反応して内容物Ｐを加熱する。この場合、発生する蒸気はＥ方向に沿って、開放された上端部から外部に排出される。
【００９７】
また、第１温度調節空間Ｒ１に投入された反応液体は、連通孔１５５を通して第２温度調節空間Ｒ２に流入して第２温度調節体１４５と接触する。第２温度調節空間Ｒ２にも発熱反応が発生して内容物Ｐを加熱することができる。この時、発生する蒸気は、第２内皮１５３と背面外皮１１３との間の上端部に形成される蒸気排出口（図示せず）からＨ方向に外部に排出されることができる。
【００９８】
蒸気排出口（図示せず）がない場合には、第２温度調節空間Ｒ２で発生した蒸気は、連通孔１５５及び開放された上端部を通して外部に排出されることができる。
【００９９】
本発明の４実施例によるスタンディングパウチ２００は、図１５乃至図１７に示すように、内容物の収容が可能な収容空間Ｂを形成する第１内皮２１１及び第２内皮２１３を含む第１パック２１０と、第１温度調節空間Ａ１を形成するように第１内皮２１１に対向して配置された第１外皮２３１と、第１温度調節空間Ａ１に配置された第１温度調節体２４０と、を含む。一方、第２内皮２１３は、後述する第５実施例のスタンディングパウチ（図１９の２００ａ）を説明するために便宜上付けた名称に過ぎないもので、必ずしもスタンディングパウチ２００の内部に存在するものに限定して解釈してはならない。
【０１００】
ここで、第１温度調節空間Ａ１が密閉されるように第１内皮２１１及び第１外皮２３１を互いに密封処理することができる。さらにいうと、第１内皮２１１及び第１外皮２３１の上下部及び左右側部がシール処理されることができる。ここで、密封処理には、熱融着、超音波融着及びその他公知の方法を用いることができる。
【０１０１】
ここで、第１内皮２１１及び第１外皮２３１間の密封シール処理された部分のうち、上部密封部分２５１，２５３は横方向に沿ってその幅Ｈ１，Ｈ２を別々にすることができる。さらにいうと、第１上部密封部分２５１の幅Ｈ１を、第２上部密封部分２５３の幅Ｈ２よりも小さくすることができる。これにより、第１温度調節空間Ａ１で発熱反応が発生する時に、発生する蒸気をより第１温度調節空間Ａ１内に滞留させることによって発熱効率を向上させることができる。これは、第１上部密封部分２５１の横方向長さ部分Ｗに該当する開口が、後述する反応液体を投入可能な部分になると同時に、発熱反応時に生成される蒸気が排出される蒸気排出口として機能するからである。
【０１０２】
場合によっては、第１上部密封部分２５１の幅Ｈ１及び第２上部密封部分２５３の幅Ｈ２を同一にすることもできる。
【０１０３】
一方、第１内皮２１１及び第２内皮２１３は、ＰＥ（ポリエチレン）、ＰＰ（ポリプロピレン）及びＰＥＴのような合成樹脂で形成することができる。これに限定されず、その他公知の種々の可撓性フィルムで形成することもできる。場合によって、第１内皮２１１及び第２内皮２１３は、アルミニウムのような熱伝導性の高い金属薄膜コートの可撓性フィルムにすることもできる。
【０１０４】
第１外皮２３１は、ＰＥ（ポリエチレン）、ＰＰ（ポリプロピレン）及びＰＥＴのような合成樹脂とすることができる。これに限定されず、その他公知の種々の可撓性フィルムとすることもできる。
【０１０５】
第１温度調節体２４０は、後述する反応液体と発熱反応する発熱体及び反応液体と吸熱反応する吸熱体のうち少なくとも一つを含むことができる。ここで、発熱体及び吸熱体は、収容空間Ｂに投入される内容物の温度を増加または減少させることから、温度調節体と総称することができる。
【０１０６】
発熱体には、酸化カルシウム、水酸化カルシウム、塩化マグネシウム、鉄及びアルミニウムのうち少なくとも一つを含むことができる。これに限定されず、反応液体と発熱反応するものであればいずれの物質も使用可能である。
【０１０７】
ここで、温度調節体を発熱体とする場合、発熱反応により第１外皮２３１が熱くなることがあるので、第１外皮２３１の内面及び外面のうち少なくとも一方に断熱材を付着することができる。
【０１０８】
吸熱体には、硝酸アンモニウム（ＮＨ４ＮＯ３）、酢酸ナトリウム（ＮａＯＡｃ）及び尿素（ｕｒｅａ）のうち少なくとも一つを含むことができる。
【０１０９】
第１温度調節体２４０は、温度調節体２４１と、温度調節体２４１を包む不織布２４３と、を含むことができる。不織布２４３は、吸湿性があるから反応液体を吸収し、内部に収容している発熱体または吸熱体と応液体との化学反応を容易にさせる。場合によって、不織布２４３は省いても良い。不織布２４３に限定されず、吸湿性を有する別の材質のものを使用することもできる。
【０１１０】
一方、第１パック２１０は、第１内皮２１１及び第２内皮２１３との間に介在されて、第１内皮２１１及び第２内皮２１３の下部にそれぞれ結合する下部内皮２１５をさらに含むことができる。下部内皮２１５は、第１内皮２１１及び第２内皮２１３の下部を互いに離隔させることによってパウチ２００を起立させることができる。
【０１１１】
また、スタンディングパウチ２００は、第１内皮２１１、第２内皮２１３及び第１外皮２３１のうち少なくとも一つに形成されて、第１温度調節空間Ａ１が開放されうるように第１内皮２１１及び第１外皮２３１を横方向に破たんさせる第１破たん部２６０をさらに含むことができる。
【０１１２】
第１破たん部２６０は、第１外皮２３１に形成された第１ノッチ２６１と、第１ノッチ２６１から延びて第１内皮２１１及び第１外皮２３１の横方向破たんを容易にさせる第１破たん線２６３と、を含む。ここで、場合によって、第１ノッチ２６１及び第１破たん線２６３のうちいずれか一方を省いても良い。第１破たん線２６３は、横方向に沿って形成された微細な破たん溝（図示せず）をさらに含むことができる。これにより、使用者が第１破たん線２６３に沿って第１内皮２１１及び第１外皮２３１を破たんすることで第１温度調節空間Ａ１を開放することができる。
【０１１３】
ここで、第１破たん線２６３は、第１ノッチ２６１部位が破たんされる時、第１破たん線２６３に対応する線に沿って第１外皮２３１、第１及び第２内皮２１１，２１３のうち少なくとも一つが容易に破たんされるようにする。破たん溝（図示せず）から異物が第１温度調節空間Ａ１に流入したり、収容空間Ｂに収容される後述する内容物Ｔが破たん溝（図示せず）から漏れたりしないようにすることが好ましい。
【０１１４】
ここで、第１破たん部２６０を用いてスタンディングパウチ２００を破たんする場合、第１温度調節空間Ａ１の他に、収容空間Ｂも共に開放されるようにすることができる。これは、後述する、第１内皮２１１と第２内皮２１３の第３密封部分２５２の密封幅（図１８ＢのＨ３）を適切に変更することによって可能になる。
【０１１５】
第１破たん線２６３は、破たん対象となる第１内皮２１１及び第１外皮２３１にのみ形成されることもできる。場合によっては、第２内皮２１３にも第１破たん線２６３を形成することもできる。
【０１１６】
また、スタンディングパウチ２００は、第１内皮２１１、第２内皮２１３及び第１外皮２３１のうち少なくとも一つに設けられて、収容空間Ｂが開放されうるように第１内皮２１１と第２内皮２１３を横方向に破たんさせる第２破たん部２７０をさらに含むことができる。ここで、第１破たん部２６０を用いて第１内皮２１１と第１外皮２３１を横方向に破たんする際に、第１内皮２１１及び第２内皮２１３が互いに密封状態を維持するように第１内皮２１１及び第２内皮２１３を密封処理することができる。これにより、使用者が第２破たん部２７０を用いてスタンディングパウチ２００を破たんさせない限り、第１内皮２１１及び第２内皮２１３は密封状態を維持し、その内部に投入されたレトルト食物を衛生的に保管することができる。
【０１１７】
第２破たん部２７０は、第１外皮２３１に形成された第２ノッチ２７１と、第２ノッチ２７１から延びて第１内皮２１１及び第２内皮２１３の横方向破たんを容易にする第２破たん線２７３と、を含む。ここで、第２破たん線２７３に沿って破たんすると第１外皮２３１も第１及び第２内皮２１１，２１３と一緒に破たんされうるように、第１外皮２３１にも第２破たん線２７３を形成することができる
【０１１８】
場合によって、第２ノッチ２７１または第２破たん線２７３のいずれか一方を省いても良い。第２破たん線２７３は、横方向に沿って形成された微細な破たん溝（図示せず）をさらに含むことができる。これにより、使用者が第２破たん線２７３に沿って第１内皮２１１及び第２内皮２１３を破たんすることで収容空間Ｂを開放させることができる。
【０１１９】
第２破たん部２７０は場合によって省略しても良い。例えば、上述したように、第１破たん部２６０によってスタンディングパウチ２００を破たんすると、第１温度調節空間Ａ１と共に収容空間Ｂも開放されるようにした場合は、第２破たん部２７０を省略することができる。
【０１２０】
以下では、図１８Ａ及び図１８Ｂを用いて、この第４実施例によるスタンディングパウチ２００を用いたレトルト食品包装方法について詳細に説明する。
まず、スタンディングパウチ２００を用意する。ここで、レトルト食品を投入するまでには収容空間Ｂが開放されるように第１内皮２１１及び第２内皮２１３の上部をシール処理しない状態とすることができる。
【０１２１】
ここで、第１温度調節空間Ａ１は密閉されているので、後述するレトルト食品Ｔを投入する前に、スタンディングパウチ２００を運搬する過程で異物が侵入たり望まない発熱反応または吸熱反応のような温度調節反応が発生したりすることを防止することができる。
【０１２２】
その後、スタンディングパウチ２００の第１内皮２１１及び第２内皮２１３との間の収容空間Ｂにレトルト食品Ｔを投入する。ここで、レトルト食品Ｔの例には、カレー、ご飯、スープなどを含むことができる。
【０１２３】
その後、第１内皮２１１の上部と第２内皮２１３の上部とをシール処理して収容空間Ｂを密閉する。
【０１２４】
ここで、第１内皮２１１と第２内皮２１３との第３上部密封部分２５２の幅Ｈ３を、第１外皮２３１と第１内皮２１１との第１上部密封部分２５１の幅Ｈ１よりも大きくすることができる。パウチ２００の上端から第３上部密封部分２５２によってシールされる下端部までの距離Ｈ３は、パウチ２００の上端から第１上部密封部分２５１によりシールされる下端部までの距離Ｈ１よりは長く、パウチ２００の上端から第２上部密封部分２５３によりシールされる下端部までの距離Ｈ２よりは短い。すなわち、Ｈ１＜Ｈ３＜Ｈ２の条件を満たすように第１上部密封部分２５１、第２上部密封部分２５３及び第３上部密封部分２５２を定めることができる。
【０１２５】
また、パウチ２００の上端から第１破たん部２６０の第１破たん線２６３までの距離Ｌ１は、パウチ２００の上端から第１上部密封部分２５１によりシールされる下端部までの距離Ｈ１よりは長く、パウチ２００の上端から第３密封部分２５２によってシールされる下端部までの距離Ｈ３よりは短い。すなわち、Ｈ１＜Ｌ１＜Ｈ３<Ｈ２の条件を満たすように第１破たん部２６０を形成することができる。
【０１２６】
また、パウチ２００の上端から第２破たん部２７０の第２破たん線２７３までの距離Ｌ２は、パウチ２００の上端から第２上部密封部分２５３によりシールされる下端部までの距離Ｈ２よりは長い。すなわち、Ｌ２＞Ｈ２になるように第２破たん部２７０を形成することができる。
【０１２７】
これにより、図１８Ｂに示すように、スタンディングパウチ２００の内部にレトルト食品Ｔを包装することができる。
【０１２８】
その後、包装されたスタンディングパウチ２００全体を殺菌処理する。
【０１２９】
ここで、殺菌処理は、高温高圧の蒸気をスタンディングパウチ２００に噴射したりスタンディングパウチ２００を水に湯せんして行う。殺菌または滅菌処理方法は、上記に限定されず、公知の様々な方式とすることもできる。ここで、殺菌処理工程は、レトルト食品Ｔを投入する前に、スタンディングパウチ２００内の収容空間Ｂを殺菌する目的で行うこともできる。
【０１３０】
以下では、図１５、図１８Ｃ及び図１８Ｄを用いて、レトルト食品Ｔの包装されているスタンディングパウチ２００を用いてレトルト食品Ｔを摂取する方法について詳細に説明する。
【０１３１】
スタンディングパウチ２００の第１破たん部２６０を切り取る。
【０１３２】
これにより、図１８Ｃに示すように、第１温度調節空間Ａ１の上側が開放される。もちろん、開放される部分は、図１５に示す第１上部密封部分２５１の横方向長さ部分Ｗに該当する。
【０１３３】
その後、使用者は、第１温度調節空間Ａ１に内蔵された第１温度調節体２４０と発熱反応または吸熱反応がおきるように、反応液体Ｖ、例えば、水を第１温度調節空間Ａ１に注入する。
【０１３４】
これにより、第１温度調節空間Ａ１で発生する発熱反応または吸熱反応によりレトルト食品Ｔが加熱または冷却される。
【０１３５】
ここで、第１破たん部２６０を破たんしても第１内皮２１１及び第２内皮２１３の第３上部密封部分２５２の一部分は、所定幅Ｈ３−Ｌ１だけ残るため、レトルト食品Ｔは密閉された状態を維持することとなる。
【０１３６】
以降、図１５に示す第２破たん部２６０に沿ってスタンディングパウチ２００を切り取る。
【０１３７】
これにより、図１８Ｄに示すように、密封された第１内皮２１１及び第２内皮２１３の上部が開放され、よって、使用者は、加熱または冷却されたレトルト食品Ｔを摂取することができる。
【０１３８】
ここでは、収容空間Ｂに収容される内容物としてレトルト食品Ｔを取り上げたが、これは一例に過ぎず、加熱または冷却されるとその効用性が増大する食へ物（スープ、カレー、ご飯等）、美容マスクパックなどを内容物とすることができる。
【０１３９】
また、スタンディングパウチ２００は、必ずしも内容物が収容空間Ｂに投入された状態で販売される必要はなく、第１内皮２１１及び第２内皮２１３の上部が開放された状態で販売されても良い。この場合、使用者は任意の内容物を収容空間Ｂに投入した後、第１破たん部２６０を切り取って、投入された内容物を加熱または冷却させることができる。
【０１４０】
このように、第１温度調節空間Ａ１が密閉された状態で流通されるから、望まない発熱反応または吸熱反応が発生することを防止でき、反応液体による重さ及び体積の増加による流通上の難題も緩和することができる。
【０１４１】
以下、本発明の第５実施例によるスタンディングパウチ２００ａを、図１９乃至図２２を参照して説明する。図１９乃至図２２に示すように、内容物の収容が可能な収容空間Ｂを形成する第１内皮２１１及び第２内皮２１３を含む第１パック２１０と、第１温度調節空間Ａ１を形成するように第１内皮２１１に対向して配置された第１外皮２３１と、第２温度調節空間Ａ２を形成するように第２内皮２１３に対向して配置された第２外皮２３３と、第１及び第２温度調節空間Ａ１，Ａ２にそれぞれ配置された第１温度調節体２４０及び第２温度調節体２９０と、を含む。
【０１４２】
第１及び第２温度調節空間Ａ１，Ａ２の両方とも密閉されるように第１内皮２１１と第１外皮２３１との間及び第２内皮２１３と第２外皮２３３との間は互いに密封処理されることができる。
【０１４３】
第５実施例では、温度調節空間Ａ１，Ａ２が内容物の収容される収容空間Ｂを間に置いて両側にそれぞれ配置されるので、より早急に内容物を加熱または冷却させることができる。場合によっては、第１及び第２温度調節空間Ａ１，Ａ２でそれぞれ発熱反応及び吸熱反応がおきるようにすることによって、内容物の前後を独立して加熱及び冷却させることもできる。
【０１４４】
スタンディングパウチ２００ａは、図１９及び図２０に示すように、第１内皮２１１及び第２内皮２１３に形成されて、第１温度調節空間Ａ１及び第２温度調節空間Ａ２を連通させるための連通孔２８３と、連通孔２８３の周囲で第１内皮２１１及び第２内皮２１３をシール処理してなる連通孔シール部２８５と、をさらに含むことができる。これにより、第１温度調節空間Ａ１及び第２温度調節空間Ａ２のうちのいずれか一方に反応液体を投入すると、連通孔２８３を通して他の一方にも反応液体が流入するようになる。これにより、第１温度調節空間Ａ１及び第２温度調節空間Ａ２で略同時に発熱反応または吸熱反応がおきるようになる。
【０１４５】
第５実施例のスタンディングパウチ２００ａも、上述した第４実施例と同様に、第１外皮２３１と第１内皮２１１の上部はスタンディングパウチ２００ａの横方向に沿って密封されて、第１上部密封部分２５１及び第２上部密封部分２５３が形成される。ここで、第１上部密封部分２５１の幅Ｈ１を第２上部密封部分２５３の幅Ｈ２よりも小さくすることができる。また、第１上部密封部分２５１の横方向長さ部分Ｗを、第２上部密封部分２５３のそれに比べて相対的に短くすることができる。
【０１４６】
第２外皮２３３と第２内皮２１３との間も、図２１及び図２２に示すように、第１外皮２３１と第１内皮２１１との間の第１上部密封部分２５１と第２上部密封部分２５３と同様に密封処理することができる。場合によっては、第２外皮２３３と第２内皮２１３との密封処理を、第１外皮２３１と第１内皮２１１とのそれとは異ならせて良い。
【０１４７】
ここで、パウチ２００ａの上端から第１上部密封部分２５１、第２上部密封部分２５３、後述する第３上部密封部分２５７及び第１破たん部２６０までのそれぞれの距離Ｈ１、Ｈ２、Ｈ４及びＬ１間の相関関係は、Ｈ１＜Ｈ４＜Ｌ１＜Ｈ２として簡単に説明することができる。
【０１４８】
すなわち、パウチ２００ａの上端から後述する第３上部密封部分（図２３Ｂの２５７）までの距離Ｈ４は、第１上部密封部分２５１までの距離Ｈ１よりは長く、パウチ２００ａの上端から第２上部密封部分２５３までの距離Ｈ２よりは短い。
【０１４９】
第３上部密封部分２５７は、レトルト食品Ｔのような内容物を、第１内皮２１１及び第２内皮２１３間の収容空間Ｂに投入してから収容空間Ｂを密閉する役割を果たす。第１及び第２内皮２１１，２１３のみを密封処理しても良く、場合によっては、第１及び第２外皮２３１，２３３も一緒にシール処理することができる。第５実施例では、第１及び第２外皮２３１，２３３も一緒にシール処理するものとした。
【０１５０】
ここで、第１上部密封部分２５１及び第２上部密封部分２５３は、図２３Ａに示すレトルト食品Ｔのような内容物を収容空間Ｂに投入する前に既にシール処理されることができる。第３上部密封部分２５７は、レトール式食品Ｔのような内容物を包装する過程で収容空間Ｂを密閉するためにシール処理される。
【０１５１】
また、パウチ２００ａの上端から後述する第３上部密封部分（図２３Ｂの２５７）までの距離Ｈ４は、第１破たん部２６０、具体的には、第１破たん線２６３までの距離Ｌ１よりも短い。
【０１５２】
そして、パウチ２００ａの上端から第１破たん部２６０までの距離Ｌ１は、パウチ２００ａの上端から第２上部密封部分２５３までの距離Ｈ２よりも短い。これにより、第１破たん部２６０を用いてパウチ２００ａを破たんすると、第１上部密封部分２５１の横方向部分Ｗに該当する第１外皮２３１及び第１内皮２１１との間、すなわち、第１温度調節空間Ａ１が開放される。もちろん、第２温度調節空間Ａ２も同一に開放されることができる。
【０１５３】
参考として、第５実施例のスタンディングパウチ２００ａでは、第４実施例と比較して、第２破たん部２７０が省略されている。
【０１５４】
以下では、図２３Ａ及び図２３Ｂを参照して、レトルト食品Ｔをスタンディングパウチ２００ａに投入してレトルト食品Ｔを包装する方法について説明する。
【０１５５】
まず、第５実施例のスタンディングパウチ２００ａを用意する。
【０１５６】
その後、図２３Ａに示すように、スタンディングパウチ２００ａの収容空間にレトルト食品Ｔを投入する。
【０１５７】
そして、レトルト食品Ｔが投入された第１内皮２１１及び第２内皮２１３の上部を密封処理して第３上部密封部分２５７を形成する。ここで、第３上部密封部分２５７は、第１内皮２１１及び第２内皮２１３との間に形成する他にも、第１内皮２１１と第１外皮２３１との間及び第２内皮２１３と第２外皮２３３との間にも形成することができる。
【０１５８】
これにより、図２３Ｂに示すように、収容空間Ｂの密封されたスタンディングパウチ２００ａを得ることができる。
【０１５９】
その後、レトルト食品Ｔの収容されているスタンディングパウチ２００ａを殺菌処理する。
【０１６０】
一方、図１９及び図２３Ｃを参照して、殺菌処理されたスタンディングパウチ２００ａに入っているレトルト食品Ｔを摂取する方法について説明すると、下記通りである。
【０１６１】
まず、使用者は、図１９に示す第１破たん部２６０を切り取ってスタンディングパウチ２００ａを破たんする。
【０１６２】
これにより、図２３Ｃに示すように、第１及び第２温度調節空間Ａ１，Ａ２と同時に収容空間Ｂも開放される。すなわち、上述した通り、パウチ２００ａの上端から後述する第３上部密封部分（図２３Ｂの２５７）までの距離Ｈ４が、第１破たん線２６３までの距離Ｌ１より短いから、第１破たん部２６０を破たんすると収容空間Ｂも開放されるようになる。
【０１６３】
その後、使用者は、第１温度調節空間Ａ１及び第２温度調節空間Ａ２のうちのいずれか一方に反応液体（図２３ＣのＶ）、例えば、水を投入する。投入された反応液体は、連通孔２８３を通して別の温度調節空間へと移動し、よって、第１及び第２温度調節空間Ａ１，Ａ２で発熱または吸熱反応がおきるようにする。
【０１６４】
これで、使用者は、発熱反応または吸熱反応により加熱または冷却されたレトルト食品Ｔを摂取することができる。
【０１６５】
ここで、温度調節体を発熱体とする場合、発熱反応により第１外皮２３１及び第２外皮２３３が熱くなることがあるので、第１及び第２外皮２３１，２３３の内面及び外面のうち少なくとも一つに断熱材を付着することができる。
【０１６６】
以下、本発明の第６実施例によるスタンディングパウチ２００ｂを、図２４及び図２５を参照して説明する。第５実施例によるスタンディングパウチ２００ａと比較して、この第６実施例は、図２４及び図２５に示すように、第２破たん部２７０をさらに含む。
【０１６７】
第２破たん部２７０は、第４実施例で説明した通り、第１外皮２３１に形成された第２ノッチ２７１と、第２ノッチ２７１から延びて第１内皮２１１及び第２内皮２１３の横方向破たんを容易にさせる第２破たん線２７３と、を含む。ここで、第２破たん線２７３に沿って破たんすると、第１外皮２３１も第１及び第２内皮２１１，２１３と一緒に破たんされうるように、第１外皮２３１にも第２破たん線２７３を形成することができる
【０１６８】
場合によって、第２ノッチ２７１または第２破たん線２７３のいずれかが省略されても良い。第２破たん線２７３は、横方向に沿って形成された微細な破たん溝（図示せず）をさらに含むことができる。これにより、使用者は、第２破たん線２７３に沿ってスタンディングパウチ２００ｂを破たんすることで収容空間Ｂを開放させることができる。換言すると、第１破たん部２６０は、第１及び第２温度調節空間Ａ１，Ａ２のうち少なくとも一方を開放させる役割を果たし、第２破たん部２７０は、収容空間Ｂを開放させる役割を果たす。
【０１６９】
また、第６実施例のスタンディングパウチ２００ｂは、第５実施例のスタンディングパウチ２００ａと比較して、収容空間Ｂを密閉するために第１内皮２１１及び第２内皮２１３を密封する第３上部密封部分２５８のシール幅Ｈ５が異なる。
【０１７０】
第１及び第２内皮２１１，２１３の第３上部密封部分２５８のシール幅Ｈ５（パウチ２００ｂの上端から第３上部密封部分２５８下端までの距離）は、パウチ２００ｂの上端から第２破たん線２７３までの縦方向長さＬ２よりは短く、パウチ２００ｂの上端から第２密封部分２５３によってシールされる下端部までの距離Ｈ２よりは長い。すなわち、Ｈ２＜Ｈ５＜Ｌ２の関係が成立する。
【０１７１】
場合によって、第３上部密封部分２５８は、第１外皮２３１と第１内皮２１１との間及び第２内皮２１３と第２外皮２３３との間を、パウチ２００ｂの幅方向に沿って全体的に再度シールするための追加密封部分２５９をさらに含むことができる。ここで、パウチ２００ｂの上端から縦方向に追加密封部分２５９までの距離Ｈ６は、パウチ２００の上端から第１上部密封部分２５１によりシールされる下端部までの距離Ｈ１よりは長く、パウチ２００の上端から第２密封部分２５３によってシールされる下端部までの距離Ｈ２よりは短い。また、パウチ２００ｂの上端から縦方向に追加密封部分２５９までの距離Ｈ６は、第１破たん線２６３までの距離Ｌ１より短い。すなわち、Ｈ１＜Ｈ６＜Ｌ１＜Ｈ２の関係が成立する。
【０１７２】
場合によって、追加密封部分２５９は省略しても良い。この場合、追加密封部分２５９領域は、第２上部密封部分２５３により保持されることができる。
【０１７３】
以下では、第６実施例のスタンディングパウチ２００ｂを用いてレトルト食品Ｔのような内容物を包装する方法について、図２４及び図２５を参照して説明する。
【０１７４】
図２４に示す第６実施例のスタンディングパウチ２００ｂを用意する。
【０１７５】
ここで、収容空間Ｂは、内容物が投入されるまでには開放された状態を維持する。必要な場合、内容物を投入する前に、スタンディングパウチ２００ｂの収容空間Ｂをお湯で洗浄して、収容空間Ｂに存在する異物または細菌を除去することもできる。
【０１７６】
この場合、第１及び第２温度調節空間Ａ１，Ａ２は密閉されているので、スタンディングパウチ２００ｂを洗浄する場合にも、空間Ａ１，Ａ２内に異物が流入することを防ぐことができる。
【０１７７】
その後、被加熱または被冷却される内容物、たとえば、レトルト食品Ｔをスタンディングパウチ２００ｂの収容空間Ｂに投入する。
【０１７８】
その後、第１内皮２１１及び第２内皮２１３の上部を互いにシールすることで第３上部密封部分２５８を形成する。ここで、第１外皮２３１と第１内皮２１１との間及び第２内皮２１３と第２外皮２３３との間もシールすることで追加密封部分２５９を形成することもできる。これで、収容空間Ｂが密閉される。
【０１７９】
以降、収容空間Ｂが密閉されたスタンディングパウチ２００ｂを殺菌処理する。
【０１８０】
図２４及び図２６を参照して、レトルト食品Ｔが包装されているスタンディングパウチ２００ｂから、収容されたレトルト食品Ｔを摂取する方法について説明すると、下記の通りである。
【０１８１】
まず、図２４に示すように、第１破たん部２６０を用いてスタンディングパウチ２００ｂの上部を破たんする。すると、第１及び第２温度調節空間Ａ１，Ａ２のうち少なくとも一つが開放される。ここで、第１及び第２温度調節空間Ａ１，Ａ２において、開放される部分は第１上部密封部分２５１に該当する領域Ｗであり、残りの第２上部密封部分２５３に該当する領域は密封状態を保持する。
この時、レトルト食品Ｔの収容されている収容空間Ｂは、第３上部密封部分２５８が残存しているから、依然として密閉状態を保持する。
【０１８２】
その後、開放された第１及び第２温度調節空間Ａ１，Ａ２のうち少なくとも一つに反応液体（図２６のＶ）、たとえば、水を投入する。すると、いずれかの温度調節空間に投入された反応液体は、連通孔２８３を通していずれか別の温度調節空間にも流入し、両側の温度調節空間で発熱反応または吸熱反応がおきる。
【０１８３】
収容空間Ｂに収容されたレトルト食品Ｔが加熱または冷却されうるような時間が経過した後、第２破たん部２７０を用いて再びスタンディングパウチ２００ｂを破たんする。
【０１８４】
ここで、第３上部密封部分２５８のうち、第１破たん部２６０により破たんされずに残った部分２５５が相変らず存在するので、収容空間Ｂは、第２破たん部２７０により破たんされるまでは密封状態に保持される。第２破たん部２７０によりパウチ２００ｂが破たんされることによって、密封された状態の収容空間Ｂが開放され、使用者は、収容空間Ｂに収容されたレトルト食品Ｔを摂取可能になる。
【０１８５】
一方、以上の実施例は例示的なものに過ぎず、当該技術の分野における通常の知識を有する者にとっては、これらの実施例から様々な変形及び均等な別の実施例が可能である。したがって、本発明の真の技術的保護範囲は、添付の特許請求の範囲に記載された発明の技術的思想により定められるべきである。
【符号の説明】
【０１８６】
１００，１００ａ，１００ｂ    スタンディングパウチ
１１０    外部パック
１１１    前面外皮
１１３    背面外皮
１２０、１５０    内部パック
１２１、１５１    第１内皮
１２３、１５３    第２内皮
１３０    密封ユニット
１３１    雌ジッパー
１３３    雄ジッパー
１４０    温度調節体
１４３    第１温度調節体
１４５    第２温度調節体
１１５    下面外皮
１５５    連通孔
Ｓ    内容物収容空間
Ｒ１    第１温度調節空間
Ｒ２    第２温度調節空間
Ｒ３    連通空間
【図１】
2011157133.tif 000003
【図２】
2011157133.tif 000004
【図２Ａ】
2011157133.tif 000005
【図３】
2011157133.tif 000006
【図４】
2011157133.tif 000007
【図５】
2011157133.tif 000008
【図６】
2011157133.tif 000009
【図７】
2011157133.tif 000010
【図８】
2011157133.tif 000011
【図９】
2011157133.tif 000012
【図１０】
2011157133.tif 000013
【図１０Ａ】
2011157133.tif 000014
【図１１】
2011157133.tif 000015
【図１２】
2011157133.tif 000016
【図１３】
2011157133.tif 000017
【図１４】
2011157133.tif 000018
【図１５】
2011157133.tif 000019
【図１６】
2011157133.tif 000020
【図１７】
2011157133.tif 000021
【図１８Ａ】
2011157133.tif 000022
【図１８Ｂ】
2011157133.tif 000023
【図１８Ｃ】
2011157133.tif 000024
【図１８Ｄ】
2011157133.tif 000025
【図１９】
2011157133.tif 000026
【図２０】
2011157133.tif 000027
【図２１】
2011157133.tif 000028
【図２２】
2011157133.tif 000029
【図２３Ａ】
2011157133.tif 000030
【図２３Ｂ】
2011157133.tif 000031
【図２３Ｃ】
2011157133.tif 000032
【図２４】
2011157133.tif 000033
【図２５】
2011157133.tif 000034
【図２６】
2011157133.tif 000035